(57)【要約】【課題】運転時に空力性能に悪影響を及ぼすことがなく、汚れや結露が生じることがなく常に清潔に維持されて、意匠性を向上することのできる室内機を有する空気調和機を提供する。【解決手段】内部に送風機１７、熱交換器１８、ドレンパン１９などが設置され、天井開口部３１に臨んで天井３０内に設置された室内機本体１と、吸込み口３及び吹出し口４を有し吸込み口３の下流側に吸込みグリル７及びフィルタ８が設けられ、天井開口部３１の下面に固定されて室内機本体１の下面を覆う化粧パネル２とを備え、化粧パネル２の吸込み口３に、運転停止時には吸込み口３を閉じ、運転時には化粧パネル２の内面に沿って移動し、吸込み口３と吹出し口４との間に収容されて吸込み口３を開放するシャッタプレート１０を設けた。【選択図】図１
2011089726.tif 000002
【特許請求の範囲】
【請求項１】
内部に送風機、熱交換器、ドレンパンなどが設置され、天井開口部に臨んで天井内に設置された室内機本体と、
吸込み口及び吹出し口を有し前記吸込み口の下流側に吸込みグリル及びフィルタが設けられ、前記天井開口部の下面に固定されて前記室内機本体の下面を覆う化粧パネルとを備え、
前記化粧パネルの吸込み口に、運転停止時には該吸込み口を閉じ、運転時には前記化粧パネルの内面に沿って移動し、前記吸込み口と吹出し口との間に収容されて前記吸込み口を開放するシャッタプレートを設けたことを特徴とする空気調和機。
【請求項２】
運転停止時に前記化粧パネルの吸込み口を閉じたシャッタプレートの下面が、前記化粧パネルの下面とほぼ同一平面になるように構成したことを特徴とする請求項１記載の空気調和機。
【請求項３】
運転時に前記シャッタプレートを任意の位置で停止させるように構成したことを特徴とする請求項１又は２記載の空気調和機。
【請求項４】
前記シャッタプレートの後部側の上面に、該シャッタプレートが前記吸込み口を閉じたときに前記フィルタの後部側の下面に当接し又は近接して位置し、前記シャッタプレートの移動時に前記フィルタに堆積した塵埃等を除去するブラシを設けたことを特徴とする請求項１〜３のいずれかに記載の空気調和機。
【発明の詳細な説明】
【技術分野】
【０００１】
本発明は、空気調和機に係り、より詳しくは、空気の吸込み口を開閉するシャッタプレートを備えた室内機を有する空気調和機に関するものである。
【背景技術】
【０００２】
従来の空気調和機の室内機に、運転停止時に吸込み口と吹出し口を覆う可動パネルを有し、運転時にはこの可動パネルを移動させて風路を形成することにより空気調和を可能とすると共に、意匠性の向上をはかったものがある（例えば、特許文献１参照）。
【先行技術文献】
【特許文献】
【０００３】
【特許文献１】特開２００７−２９２３２７号公報（第９−１０頁、図１０）
【発明の概要】
【発明が解決しようとする課題】
【０００４】
特許文献１の空気調和機の室内機は、可動パネルは運転時に風路内に収容するようになっており、吸込み風路に収容される場合は、フィルタで除塵される前の吸込み空気に接するため、塵埃などが付着して汚れ易いという問題があり、また、風路に収容するため吸込み空気の流れを阻害し、空力性能の低下を招くという問題もあった。
一方、可動パネルが吹出し風路に収容される場合は、冷房運転時に吹出し空気に接するため冷却され、その後、運転停止時に室内空気にさらされて結露するなどの問題があった。
【０００５】
このように、可動パネルに塵埃などの汚れが付着すると室内機の意匠性が低下し、また、結露対策として可動パネルに断熱材を貼り付ける場合は、製品コストの上昇を招くなど、多くの問題があった。
【０００６】
本発明は、上記の課題を解決するためになされたもので、運転時に空力性能に悪影響を及ぼすことがなく、また、汚れや結露が生じることがなく常に清潔に維持されて意匠性を向上することのできる室内機を有する空気調和機を提供することを目的とするものである。
【課題を解決するための手段】
【０００７】
本発明に係る空気調和機は、内部に送風機、熱交換器、ドレンパンなどが設置され、天井開口部に臨んで天井内に設置された室内機本体と、吸込み口及び吹出し口を有し前記吸込み口の下流側に吸込みグリル及びフィルタが設けられ、前記天井開口部の下面に固定されて前記室内機本体の下面を覆う化粧パネルとを備え、前記化粧パネルの吸込み口に、運転停止時には該吸込み口を閉じ、運転時には前記化粧パネルの内面に沿って移動し、前記吸込み口と吹出し口との間に収容されて前記吸込み口を開放するシャッタプレートを設けたものである。
【発明の効果】
【０００８】
本発明によれば、運転時にはシャッタプレートを風路に関係のない位置に収容するようにしたので、吸込み空気の抵抗となることがないため空力性能に悪影響を及ぼすことがなく、また、塵埃等が付着したり結露が生じたりすることがないので、運転停止時に吸込み口を閉じたときに常に清潔に維持され、かつ意匠パネルとほぼ同一平面上に位置するため、室内機の意匠性を向上することができる。
【図面の簡単な説明】
【０００９】
【図１】本発明の実施の形態１に係る空気調和機の室内機の模式的説明図である。
【図２】図１の化粧パネルの斜視説明図である。
【図３】図２の化粧パネルとシャッタプレートとの関係を示す説明図である。
【図４】図３の作用説明図である。
【図５】図１の作用説明図である。
【図６】本発明の実施の形態２に係る空気調和機の室内機の要部の説明図である。
【図７】図６の作用説明図である。
【図８】図６の作用説明図である。
【発明を実施するための形態】
【００１０】
［実施の形態１］
図１は本発明の実施の形態１に係る空気調和機の室内機の模式的説明図である。なお、図には、一方向カセット形の空気調和機が示してある。
図において、１は下部が開口された空気調和機の室内機を構成する室内機本体で、天井３０内に埋め込まれた状態で天井開口部３１に臨んで設置されており、下面には天井開口部３１より大きい化粧パネル２が、天井３０とすき間がないようにねじ等により天井３０に固定されている。なお、以下の説明では、図の左側を前面側、右側を後面側という。
【００１１】
この化粧パネル２は、図２に示すように、一方の側（後面側）には室内空気の吸込み口３が設けられており、他方の側（前面側）には調和空気の吹出し口４が設けられている。そして、吸込み口３の両側には、吹出し口４の近傍まで延設されたガイドレール５ａ，５ｂが設けられており、このガイドレール５ａ，５ｂは、吸込み口３の前面側端部付近において段部６により僅かに（例えば、化粧パネル２の板厚程度）上方に折曲げられている。
【００１２】
７は吸込み口３の内側（下流側）に設けた吸込みグリル、８は吸込みグリル７の下流側に設けられたフィルタ、９は吹出し口４を開閉する上下風向きベーンで、吹出し口４を閉じたときは、その下面は化粧パネル２の下面とほぼ同一平面上に位置する。
【００１３】
１０は吸込み口３とほぼ等しい大きさで平板状のシャッタプレートで、図３に示すように、その両側の前後には外方に突出した支持体１１ａ，１１ｂ（図には片側だけ示してある）が設けられており、その突出部がガイドレール５ａ，５ｂにスライド可能に保持され、シャッタプレート１０を吸込み口３内において、その下面が化粧パネル２の下面とほぼ同一平面になるように支持している。なお、支持体１１ａ，１１ｂの下面にローラを設け、より円滑にスライドし得るようにしてもよい。
【００１４】
このシャッタプレート１０をガイドレール５ａ，５ｂに沿って前後方向にスライドさせる駆動手段は、図示してないが、例えば、シャッタプレート１０の前後の端部近傍に設けたプーリと、ステッピングモータの出力軸に設けたプーリとの間にワイヤを掛けた駆動機構、あるいは、ステッピングモータの出力軸に設けたピニオンを、シャッタプレート１０に設けたラックに噛合わせた駆動機構等、適宜の手段を用いることができる。なお、シャッタプレート１０は、駆動手段により、吸込み口３を全開、全閉及び任意の位置に停止させることができる。
【００１５】
１７は吸込み口３の下流側において室内機本体１の第１の風路１５に設置された送風機、１８は送風機１７の下流側において第２の風路１６に設置された熱交換器、１９は熱交換器１８の下部において、化粧パネル２との間にすき間を隔てて設置されたドレンパン、２０は電気品ボックスである。
【００１６】
上記のように構成した空気調和機の室内機において、空気調和機を運転するために運転スイッチをＯＮすると、先ず、シャッタプレート１０が駆動手段により、図４に示すように、ガイドレール５ａ，５ｂに沿って矢印方向（前面側）に移動し、図５に示すように、吸込み口３を開放して吸込みグリル７を露出させる。このとき、シャッタプレート１０は、化粧パネル２とドレンパン１９との間のすき間内（吸込み口３と吹出し口４との間）に位置する。また、吹出し口４の上下風向きベーン９が回動して、吹出し口４を開放する。
【００１７】
ついで、送風機１７が駆動されて吸込み口３から室内空気が吸込まれる。吸込みグリル７から吸込まれた空気はフィルタ８で除塵されたのち熱交換器１８に向って流れ、熱交換器１８を通過する際に冷却又は加熱されて調和空気となり、上下風向きベーン９に沿って吹出し口４から室内に吹出される。
運転を停止すると、シャッタプレート１０はガイドレール５ａ，５ｂに沿って後方に移動し、吸込み口３を閉じる。
【００１８】
本実施の形態によれば、空気調和機の運転停止時においては、室内機のシャッタプレート１０と上下風向きベーン９とは、その下面が化粧パネル２の下面とほぼ同一平面上に位置してフラットな面を形成し、化粧パネル２と一体化することができるので、室内機の意匠性を向上することができる。なお、この場合、シャッタプレート１０と上下風向きベーン９を、化粧パネル２の意匠（色彩、模様等）と等しくすることが望ましく、また、化粧パネル２を天井３０と同じ材料で構成してもよい。
【００１９】
また、空気調和機の運転時には、室内機の吸込み口３を開放するシャッタプレート１０は、第１、第２の風路１５，１６と関係のない化粧パネル２とドレンパン１９との間に収容されるので、吸込み空気の流れに対して抵抗となることがなく、このため、空力性能に悪影響を及ぼすことがない。
【００２０】
さらに、シャッタプレート１０は、運転時には化粧パネル２とドレンパン１９との間に収容されて吸込み空気にさらされることがないので、塵埃等が付着して汚れることがなく、また、冷房運転時に吹出し空気にさらされて冷却されることがないため、運転停止後に室内空気にさらされても結露することがないので、常に清潔で美しい意匠性を維持することができる。
【００２１】
また、シャッタプレート１０は、前述のように、駆動手段により全閉から全開まで任意の位置で停止させることができるので、室内機の第１の風路１５に外気と連通するダクトを接続して、室内空気と外気とを取入れるように構成した場合、室内空気の取入量と外気の取入量との割合を、シャッタプレート１０によって吸込み口３の開度を調整することにより制御することができる。
【００２２】
また、空気調和機の暖房運転中に室外機に着霜した霜を除去するために除霜運転をする場合、シャッタプレート１０を全閉することにより、室内機に冷媒が流れることによって発生する不快な冷媒流音を緩和させることができる。
【００２３】
［実施の形態２］
図６は本発明の実施の形態２に係る空気調和機の室内機の要部の説明図である。なお、実施の形態１と同じ部分には同じ符号を付してある。
本実施の形態は、実施の形態１の室内機とほぼ同様の室内機１のシャッタプレート１０の後部側の上面に、フィルタ８の幅とほぼ同じ長さで、フィルタ８の下面に位置するブラシ１１を設けると共に、ドレンパン１９の下部において、フィルタ８の近傍にダストボックス１３を設けたもので、ダストボックス１３の上部には、例えば櫛刃状の除塵部１４が設けられている。
【００２４】
このブラシ１１は、シャッタプレート１０が吸込み口３を閉じているときはフィルタ７の後面側の下面に当接するか、又は下面に近接して位置している。なお、本実施の形態においては、図２に示す化粧パネル２に設けたガイドレール５ａ，５ｂの上縁部は、段部をなくして前面側と同じ高さ位置に形成することが望ましい。
【００２５】
いま、運転等のためシャッタプレート１０を前面側にスライドさせると、シャッタプレート１０はガイドレール５ａ，５ｂの段部６に乗り上げて上昇して後面側も浮き上り、図７に示すように、ブラシ１１がフィルタ８に食い込んで、シャッタプレート１０の移動と共にフィルタ８に堆積した塵埃を掻き取り、掻き取られた塵埃１２はブラシ１１に付着し、又はブラシ１１と共に移動する。
【００２６】
そして、図８に示すように、シャッタプレート１０が前面側端部近傍に達すると、ブラシ１１はダストボックス１３内に侵入し、ブラシ１１に付着した塵埃１２は櫛刃状の除塵部１４によって除去され、ダストボックス１３内に蓄積される。
運転を停止したときは、シャッタプレート１０は後面側に移動して吸込み口３を閉塞し、ブラシ１１は再び図６の状態に戻る。
【００２７】
本実施の形態によれば、室内機の吸込み口３に、空気調和機の運転時及び運転停止時に前後方向に移動して吸込み口３を開閉するシャッタプレート１０を設け、このシャッタプレート１０にブラシ１１を設けてこのブラシ１１によりフィルタ８に堆積した塵埃１２を除去するようにしたので、簡単な構造で塵埃によるフィルタ８の目詰りを防止することができ、これにより、フィルタ８の目詰りに起因する空気質の悪化や消費電力の増加を抑制することができる。
【００２８】
上記の説明では、図示の空気調和機の室内機に本発明を実施した場合を示したが、他の構造の室内機にも本発明を実施することができる。
【符号の説明】
【００２９】
１  室内機本体、２  化粧パネル、３  吸込み口、４  吹出し口、５ａ，５ｂ  ガイドレール、７  吸込みグリル、８  フィルタ、９  上下風向きベーン、１０  シャッタプレート、１１  ブラシ、１３  ダストボックス、１４  除塵部、１７  送風機、１８  熱交換器、１９  ドレンパン、３０  天井、３１  天井開口部。
【図１】
2011089726.tif 000003
【図２】
2011089726.tif 000004
【図３】
2011089726.tif 000005
【図４】
2011089726.tif 000006
【図５】
2011089726.tif 000007
【図６】
2011089726.tif 000008
【図７】
2011089726.tif 000009
【図８】
2011089726.tif 000010